(57)【特許請求の範囲】
【請求項１】
大引材の上に形成された床部に隣接して設けられた蓄熱床部の蓄熱床暖房構造であって、
前記大引材の上に設けられた断熱層と、この断熱層の上に設けられて放熱する床暖房層と、この床暖房層の上に設けられた床仕上げ材とを備え、
前記断熱層は、断熱材を備えた複数の断熱パネルから構成され、
前記床暖房層は、一対の根太材と、前記一対の根太材間に設けられた放熱器と、前記一対の根太材間かつ前記放熱器の上下に設けられた面状の蓄熱層と、を備えた複数の蓄熱パネルから構成され、
前記断熱パネルと前記蓄熱パネルとは、それぞれ略同一の幅寸法を有し、かつ、それぞれ互いに対応する位置に設けられ、
前記断熱パネルおよび前記蓄熱パネルのそれぞれの厚み寸法は、前記断熱パネルの上面に前記蓄熱パネルを載せたとき、前記蓄熱パネルの上面が前記床部の上面と同一高さとなる寸法に設定されていることを特徴とする蓄熱床暖房構造。
【請求項２】
請求項１に記載の蓄熱床暖房構造において、
前記放熱器は電熱ヒータであることを特徴とする蓄熱床暖房構造。
【発明の詳細な説明】
【０００１】
【発明の属する技術分野】
本発明は、蓄熱床暖房構造に係り、詳しくは、木造住宅に適用されると好適な蓄熱床暖房構造に関する。
【０００２】
【背景技術】
従来、温水管や電熱ヒータ等の放熱器を床下に設置して、床面から室内を暖める床暖房構想が知られている（特開２００１−２０４０３号公報）。
このような床暖房構造は、例えば、図４に示すような構造となっている。
すなわち、木造住宅３０の基礎３１の上には土台３２が設けられ、この土台３２と直交する方向の土台間には大引材３３が架けわたわれている。大引材３３同士の間には断熱材３４が設けられ、これら大引材３３および断熱材３４の上に捨て張り３５が設けられている。この捨て張り３５の上には、所定間隔で複数本の根太３６が設けられ、これらの根太３６間が床暖房層３７となっている。この床暖房層３７は、ヒータ４０と、そのヒータ４０の上に設けられた蓄熱材ボード４１とを含み構成されている。そして、この床暖房層３７の上には、合板４２等を介して床仕上げ材４３が設けられている。
ここで、断熱層は、所定大きさの前記断熱材３４を大引材３３の間隔に合わせて切断し、この切断した断熱材３４を大引材３３間に配置することにより形成される。
なお、土台３２の上には、図示しないが柱が立設され、外側側面には、柱および土台３２に支持されて所定の外壁４５が設けられ、柱の内側には内壁４６が設けられている。
【０００３】
【発明が解決しようとする課題】
しかし、前記従来の床暖房構造では、断熱材を設けるためには、断熱材を大引材の間隔に合わせて切断しなければならない。大引材は複数本設けられているので、断熱材の切断もそれに合わせて複数回必要となり、作業の手間が多くかかるという問題がある。
【０００４】
本発明の目的は、木造住宅において少ない手間で断熱層を形成することができる蓄熱床暖房構造を提供することにある。
【０００５】
【課題を解決するための手段】
請求項１に記載の発明は、図面を参照して説明すると、図３に示すように、大引材３９の上に形成された床部８に隣接して設けられた蓄熱床暖房構造であって、大引材の上に設けられた断熱層と、この断熱層の上に設けられて放熱する床暖房層と、この床暖房層の上に設けられた床仕上げ材４３とを備え、断熱層は、断熱材２６を備えた複数の断熱パネル２４から構成され、床暖房層は、一対の根太材３６（図１参照）と、一対の根太材間に設けられた放熱器２０と、一対の根太材間かつ放熱器の上下に設けられた面状の蓄熱層２１と、を備えた複数の蓄熱パネル２８から構成され、断熱パネルと蓄熱パネルとは、それぞれ略同一の幅寸法を有し、かつ、それぞれ互いに対応する位置に設けられ、断熱パネルおよび蓄熱パネルのそれぞれの厚み寸法は、断熱パネルの上面に蓄熱パネルを載せたとき、蓄熱パネルの上面が床部の上面と同一高さとなる寸法に設定されていることを特徴とする蓄熱床暖房構造である。
このような本発明によれば、断熱層の形成は、断熱層を大引材の上に設けるだけでよく、大引材と大引材との間隔に合わせて断熱材を切断したりせずにすむので、断熱層を容易に設けることができ、施工効率を向上させることができる。
複数の断熱パネルおよび蓄熱パネルを順次設置するだけでよいので、断熱層および床暖房層の施工効率をさらに向上させることができる。
また、深夜電力を利用して夜間に蓄熱層に蓄熱して、昼間蓄熱層から放熱することができるので、使用電力のコストを低減することができる。
【０００９】
請求項２に記載の発明は、図３に示すように、請求項１に記載の蓄熱床暖房構造において、前記放熱器は電熱ヒータであることを特徴とするものである。このような本発明によれば、温水配管で放熱器を構成する場合に比べて、放熱器の厚みを薄くすることができるので、蓄熱層の厚みを厚くして、床暖房能力を向上させることができる。
【００１０】
【発明の実施の形態】
以下に、参考例を図面に基づいて説明する。
この参考例において、前記従来の木造住宅３０での使用材料および構造と同一部材等には、同一符号を付すとともに、その詳細な説明は省略または簡略化する。
図１に示すように、参考例の木造住宅１０における蓄熱床暖房構造は、前記大引材３３の上に設けられた断熱層１４と、この断熱層１４の上に設けられて放熱する床暖房層１７と、この床暖房層１７の上に設けられた前記床仕上げ材４３とを備えて構成されている。
【００１１】
断熱層１４は、図２にも示すように、例えば発泡スチロールで形成された断熱材で構成されている。断熱材としては、硬質ウレタンフォーム、グラスウール等を使用してもよい。
断熱材は、所定の幅寸法、例えば根太３６間にわたる幅に形成され、次に述べる床暖房パネル１８の長さとほぼ等しい長さに形成されている。
【００１２】
床暖房層１７は、複数の床暖房パネル１８を備えて構成され、各床暖房パネル１８は、電熱ヒータで形成される放熱器２０と、この放熱器２０の上下に設けられた面状の蓄熱層２１とを有し、これらの放熱器２０と蓄熱層２１とを、所定の間隔で対向する２本の根太３６の間に配置して形成されている。
【００１３】
上下の蓄熱層２１は、間に放熱器２０を挟んで２枚の蓄熱部材２１Ａ、２１Ｂで構成されている。これらの蓄熱部材２１Ａ、２１Ｂは、例えば、マグネシウム・シリコン系酸化物粉末の成形焼結体、鉄系酸化物を主体とした非焼成法により形成されたもの、酢酸ソーダ系、パラフィン系のもの等、面状で、かつ、所定の蓄熱効果を得ることができるものであればどのようなものを用いてもよい。
【００１４】
床暖房層１７を構成する各床暖房パネル１８の上面には、ケイカル（珪酸カルシュウム）板２２を介して、前記床仕上げ材４３が設けられている。
電熱ヒータ２０は、端部の配線により、図示しないコネクター等を介して、互いに隣り合う床暖房パネル１８の電熱ヒータ同士を連結するようになっている。また、電熱ヒータ２０は、図示しない分電盤側に接続されるとともに、制御ユニットに接続されるようになっている。
そして、この制御ユニットにより、深夜電力を利用して夜間に蓄熱層に蓄熱して、昼間蓄熱層から放熱することができるようになっており、これにより、使用電力のコストを低減することができる。
このような床暖房パネル１８と前記断熱材１４とは、図２に示すように、間に捨て張り１５を介在させ、接着等で一体化されている。
【００１５】
次に、参考例の作用を説明する。
木材住宅１０を建てるにあたり、基礎３１の上に土台３２を据え付け、土台３２間に大引材３３を架けわたす。
次いで、大引材３３の上面に順次複数の床暖房パネル１８を載置するとともに、配線を行い、所定数の床暖房パネル１８を設置し終えたら、その上にパーチクルボード等の床仕上げ材４３を設ける。
【００１６】
このような参考例によれば、次のような効果がある。
（１）断熱層１４の形成は、所定の断熱材を大引材３３の上に設けるだけでよく、従来のように、大引材３３と大引材３３との間隔に合わせて断熱材を切断したりせずにすむので、断熱層を容易に設けることができ、施工効率を向上させることができる。
【００１７】
(2) 蓄熱床暖房構造は、複数の床暖房パネル１８を順次設置するだけでよいので、床暖房層の施工効率を向上させることができる。また、深夜電力を利用して夜間に蓄熱層に蓄熱して、昼間蓄熱層から放熱することができるので、使用電力のコストを低減することができる。
【００１８】
(3) 床暖房パネル１８は、根太材３６を備えているので、根太材３６によって床暖房パネル１８の強度を確保することができるとともに、根太材３６を把持して取扱えるので、床暖房パネル１８の取扱性を向上させることができる。また、根太材３６が床暖房パネル１８と一体化される結果、根太材３６の施工手間を省略することができ、施工効率を向上させることができる。
【００１９】
(4) 床暖房パネル１８は、断熱層１４と一体化されており、複数の床暖房パネル１８を大引材３３の上に載置するだけで、大引材３３の上に断熱層１４を設けることができるので、断熱層の施工の手間を省略することができ、これにより、施工効率をさらに向上させることができる。
【００２０】
(5) 放熱器２０が電熱ヒータで構成されているので、温水配管で放熱器を構成する場合に比べて、放熱器２０の厚みを薄くすることができ、その結果、蓄熱層２１の厚みを厚くして、床暖房能力を向上させることができる。
【００２１】
図３には、本発明の一実施形態が示されている。
本実施形態において、前記参考例と同一部材、同一構造には、同一符号を付すとともに、その詳細な説明は省略または簡略化する。
本実施形態は、大引材３３の上に設けられた断熱パネル２４および蓄熱パネル２８を備えた蓄熱床部１を、これらのパネル２４，２８のない通常の床部８に、段差をなくして配置したものである。
【００２２】
すなわち、床部８は、大引材３３の上に所定間隔で設けられた根太６の間に、所定の断熱材７等を設けて形成され、根太６の上面には、例えば、前記ケイカル板２２を介して床仕上げ材４３が設けられている。
これに対して、断熱パネル２４は、枠材２５内に前記断熱層１４を形成する断熱材２６を設けて形成されており、前述のように大引材３３の上に設けられている。また、蓄熱パネル２８は、前記根太材３６内に蓄熱部材２１Ａ、２１Ｂおよび放熱器２０を組み込んで形成され、断熱パネル２４の上に設けられている。そして、蓄熱パネル２８の上面に、ケイカル板２２を介して床仕上げ材４３が設けられている。
【００２３】
ここで、断熱パネル２４の構造は、床部８の対向する根太６間に断熱材７を設けた構造とほぼ同じであるが、高さが異なっている。また、蓄熱パネル２８は、前記床暖房パネル１８の断熱層１４を除いた構造と同じであり、上記断熱パネル２４上面に蓄熱パネル２８を載せたとき、蓄熱パネル２８の上面と、床部８の上面とが同一高さとなるようにそれぞれが寸法設定されている。従って、蓄熱パネル２８の上面と、床部８の上面とに、ケイカル板２２を介して床仕上げ材４３が設けられたとき、段差のない床面が得られることになる。
【００２４】
このような本実施形態によれば、前記（１）〜（５）と同様の効果の他、次のような効果がある。
（６）断熱パネル２４の上面に蓄熱パネルを載せたとき、蓄熱パネル２８の上面と、床部８の上面とが同一高さとなるようにそれぞれが寸法設定されているので、それぞれの上面に床仕上げ材４３を設けたとき、通常の床部に蓄熱、床暖房を設ける場合に生じる床暖房部と床との間の段差をなくすことができ、段差のない床面を得ることができる。
【００２５】
なお、本発明は前記実施形態に限定されるものではなく、本発明の目的を達成できるものであればよい。
【００２６】
【発明の効果】
以上説明したように、請求項１の発明によれば、断熱層の形成は、断熱層を大引材の上に設けるだけでよく、大引材と大引材との間隔に合わせて断熱材を切断したりせずにすむので、断熱層を容易に設けることができ、施工効率を向上させることができる。
複数の断熱パネルおよび蓄熱パネルを順次設置するだけでよいので、断熱層および床暖房層の施工効率を向上させることができる。また、深夜電力を利用して夜間に蓄熱層に蓄熱して、昼間蓄熱層から放熱することができるので、使用電力のコストを低減することができる。
【００３０】
請求項２の発明によれば、温水配管で放熱器を構成する場合に比べて、放熱器の厚みを薄くすることができるので、蓄熱層の厚みを厚くして、床暖房能力を向上させることができる。
【図面の簡単な説明】
【図１】    参考例の蓄熱床暖房構造を示す縦断面図である。
【図２】    前記参考例の要部を示す斜視図である。
【図３】    本発明に係る蓄熱床暖房構造の一実施形態を示す縦断面図である。
【図４】    従来の蓄熱床暖房構造を示す斜視図である。
【符号の説明】
８    床部
１０    木造住宅
１４    断熱材（断熱層）
１７    床暖房層
１８    床暖房パネル
２０    電熱器で構成された放熱器
２１    蓄熱層
２１Ａ，２１Ｂ  蓄熱層を形成する上下の蓄熱材
２４    断熱パネル
２８    蓄熱パネル
【図１】
0004035327.tif 000002
【図２】
0004035327.tif 000003
【図３】
0004035327.tif 000004
【図４】
0004035327.tif 000005